(57)【要約】    【課題】風向きを考慮して、外部の風を効率よく取り込むことができる滑り出し窓を提供する。    【解決手段】滑り出し窓において、サッシの上下に配置されるレール１と、このレール１上を窓の中央部まで移動可能な滑り出し部材２と、この滑り出し部材２に突設されるピン３と、前記滑り出し部材２の基部に固定される操作ハンドル４と、前記滑り出し部材２に一端が保持され、他端がサッシに枢着される支持アーム５とを具備する。【選択図】図１
2006200189.tif 000002
【特許請求の範囲】
【請求項１】
（ａ）サッシの上下に配置されるレールと、
（ｂ）該レール上を窓の中央部まで移動可能な滑り出し部材と、
（ｃ）該滑り出し部材に突設されるピンと、
（ｄ）前記滑り出し部材の基部に固定される操作ハンドルと、
（ｅ）前記滑り出し部材に一端が保持され、他端がサッシに枢着される支持アームとを具備することを特徴とする滑り出し窓。
【請求項２】
請求項１記載の滑り出し窓において、前記滑り出し部材と支持アームとを横方向に複数個配置することを特徴とする滑り出し窓。
【請求項３】
請求項１又は２記載の滑り出し窓において、前記滑り出し部材から伸長可能な補助部材を設けることを特徴とする滑り出し窓。
【請求項４】
請求項１又は２記載の滑り出し窓において、前記滑り出し部材に駆動装置を配置し、外部の自然風の風向及び風速に基づいて、前記滑り出し部材から伸長する補助部材の伸長長さを調整可能にすることを特徴とする滑り出し窓。
【請求項５】
請求項２記載の滑り出し窓において、前記滑り出し部材に駆動装置を配置し、外部の自然風の風向及び風速に基づいて、前記滑り出し部材の各補助部材の駆動の有無の選択及び補助部材の伸長長さを調整可能にすることを特徴とする滑り出し窓。
【発明の詳細な説明】
【技術分野】
【０００１】
本発明は、外部の自然風を有効に取り込むことができる滑り出し窓に関するものである。
【背景技術】
【０００２】
従来、外部に開閉できる窓は、スライド式であるか、一端部が枢着された開き窓になっている。
【０００３】
図７は従来のスライド式の窓１０１である。このようなスライド式の窓１０１の場合、壁の開口部にサッシと２枚の窓ガラスが嵌め込まれているが、最大でも壁の開口の半分程度しか窓１０１の開口面積として利用することができず、効率的に外部からの風を導入することができない。
【０００４】
図８は従来の片開き式の窓１１１であり、この場合には、開かれた窓１１１の側から吹いてくる風１１２を取り込むのに難がある。
【０００５】
図９は従来の観音開き式窓１２１であり、この場合も、開かれた両開きの窓１２１の側から吹いてくる風１２２，１２３を取り込むのに難がある。
【０００６】
なお、駅空間の温熱環境予測に関する研究として、橋上駅コンコースの夏季温熱実態調査が実施されている〔下記非特許文献１参照〕。
【非特許文献１】日本建築学会大会学術講演梗概集（北海道）２００４年８月，ｐｐ．１７−１８
【発明の開示】
【発明が解決しようとする課題】
【０００７】
上述のように、従来の窓では、風向き次第では、外気を有効に取り込めないといった問題があった。
【０００８】
本発明は、上記状況に鑑みて、風向きを考慮して外部の風を効率よく取り込むことができる滑り出し窓を提供することを目的とする。
【課題を解決するための手段】
【０００９】
本発明は、上記目的を達成するために、
〔１〕滑り出し窓において、サッシの上下に配置されるレールと、このレール上を窓の中央部まで移動可能な滑り出し部材と、この滑り出し部材に突設されるピンと、前記滑り出し部材の基部に固定される操作ハンドルと、前記滑り出し部材に一端が保持され、他端がサッシに枢着される支持アームとを具備することを特徴とする。
【００１０】
〔２〕上記〔１〕記載の滑り出し窓において、前記滑り出し部材と支持アームとを横方向に複数個配置することを特徴とする。
【００１１】
〔３〕上記〔１〕又は〔２〕記載の滑り出し窓において、前記滑り出し部材から伸長可能な補助部材を設けることを特徴とする。
【００１２】
〔４〕上記〔１〕又は〔２〕記載の滑り出し窓において、前記滑り出し部材に駆動装置を配置し、外部の自然風の風向及び風速に基づいて、前記滑り出し部材から伸長する補助部材の伸長長さを調整可能にすることを特徴とする。
【００１３】
〔５〕上記〔２〕記載の滑り出し窓において、前記滑り出し部材に駆動装置を配置し、外部の自然風の風向及び風速に基づいて、前記滑り出し部材の各補助部材の駆動の有無の選択及び補助部材の伸長長さを調整可能にすることを特徴とする。
【発明の効果】
【００１４】
本発明によれば、
（１）風向きを考慮して、外部の風を効率よく取り込むことができる。
【００１５】
（２）外部の自然風の風向及び風速に基づいて、滑り出し部材及び補助部材を有効に設定することができる。
【００１６】
より具体的には、
（３）スライド式（引き違い式）よりも開口面積を大きくすることができるので、換気効率が高まる。
【００１７】
（４）開口中央部で滑り出し部材を固定することにより、建物壁面に平行な風に対してどちら側から風が吹いても建物内に自然風を取り入れることが可能となる。
【００１８】
（５）滑り出し窓に設けた補助部材を伸縮させることにより、換気効率を滑り出し窓よりもさらに高めることができる。
【００１９】
（６）操作ハンドルが常に室内側にあり安全に操作することができる。また、その操作ハンドルの操作はサッシに沿ってスライドさせるだけでよく、誰でも簡単かつ円滑に操作を行うことができる。
【発明を実施するための最良の形態】
【００２０】
本発明の滑り出し窓は、サッシの上下に配置されるレールと、このレール上を窓の中央部まで移動可能な滑り出し部材と、この滑り出し部材に突設されるピンと、前記滑り出し部材の基部に固定される操作ハンドルと、前記滑り出し部材に一端が保持され、他端がサッシに枢着される支持アームとを具備する。よって、風向きを考慮して、外部の風を効率よく取り込むことができる。
【実施例】
【００２１】
以下、本発明の実施の形態について詳細に説明する。
【００２２】
図１は本発明の第１実施例を示す滑り出し窓の構成図であり、図１（ａ）はその滑り出し窓を閉じた状態を示す断面図、図１（ｂ）はその滑り出し窓を半ば開いた状態の断面図、図１（ｃ）はその滑り出し窓を完全に開いた状態の断面図である。図２はその滑り出し窓が完全に開いた状態を室外から見た場合の斜視図、図３はその滑り出し窓の機能の説明図である。
【００２３】
これらの図において、１はサッシの内側の上下に配置されるレール、２は滑り出し部材、２Ａは滑り出し部材２の基部上下に設けられ、サッシの内側上下に配置されるレール１に嵌合し、滑り出し部材２の基部をスライド可能とする、滑り出し図材２の突出部、３はその滑り出し部材２の中央部に突設されるピン、４はその滑り出し部材２の室内側に固定された操作ハンドル、５はサッシ内側と滑り出し部材２を連結するアーム、６はそのアーム５に形成される、ピン３が係合する係合溝、７はアーム５の基部に設けられる枢着部である。ここで、８は室内、９は屋外である。
【００２４】
まず、図１（ａ）に示すように滑り出し窓が閉じられた状態から、図１（ｂ）に示すように操作ハンドル４を左にスライドさせると、滑り出し部材２の基部がレール１に沿って左にスライドするとともに、滑り出し部材２の基部の突出部２Ａを軸として、滑り出し部材２が屋外側へと回転するため、次第に滑り出し窓が開かれてゆく。
【００２５】
そして、図１（ｃ）に示すように滑り出し窓が完全に開いた状態、つまり、滑り出し部材２がレール１に対して垂直となった状態でロックがかかる〔係合溝６の端部に保持穴（図示なし）が形成されており、その保持穴にピン３が嵌まる〕ようになっており、安定な状態で滑り出し窓を開いた状態にして保持しておくことができる。
【００２６】
この滑り出し窓が完全に開いた状態では、図３に示すように、滑り出し部材１２がサッシに対して垂直な状態になり、滑り出し部材１２の左右に開口が形成されているので、屋外１１の左右から吹いてくる風１３，１４を効率よく室内１０に取り込むことができる。特に、屋外１１において、風向きが変わる場合にも、その風を効率よく室内１０に取り込むことができる。また、操作ハンドル４が常に室内１０にあるので、安全に開閉操作を行うことができる。また、その操作ハンドル４の操作はサッシに沿ってスライドさせるだけでよいため、誰でも簡単かつ円滑に操作を行うことができる。
【００２７】
図４は本発明の第２実施例を示す滑り出し窓の構成図であり、図４（ａ）はその滑り出し窓を閉じた状態を示す断面図、図４（ｂ）はその滑り出し窓を半ば開いた状態の断面図、図４（ｃ）はその滑り出し窓を完全に開いた状態（ロック状態）の断面図である。なお、１〜６、７〜９は上記第１実施例と同様である。
【００２８】
この実施例では、滑り出し部材２１に連結されるアーム２２の構造を、折れ曲がるようなリンク機構２３としている。つまり、図４（ｂ）に示すように、アーム２２の中央部に復帰ばね２５付きのヒンジ２４を設けて、滑り出し部材２１が完全に開くまでの中間位置においてはアーム２２がくの字型に曲がるようにしている。このようなリンク機構２３にすることにより、図４（ｃ）に示すように、滑り出し部材２１が完全に開いた状態になる場合には、ヒンジ２４の位置が延びてアーム２２が延びた状態にすることができる。なお、アーム２２の左半分にはストッパ２６が対応するように構成されている。
【００２９】
このように、滑り出し窓が完全に開いた状態では、図４（ｃ）に示すように、滑り出し部材２１がサッシに対して垂直な状態となり、滑り出し部材２１の左右に開口が形成されているので、屋外の左右から吹いてくる風を効率よく室内に取り込むことができる。
【００３０】
図５は本発明の第３実施例を示す複数の滑り出し窓（全開時）の構成図である。
【００３１】
この図において、サッシには、横方向に複数個の滑り出し部材３２Ａ〜３２Ｆ，支持アーム３３Ａ〜３３Ｆが配置された滑り出し窓３１〜３６を配置するようにしている。なお、３７は室内、３８は屋外である。
【００３２】
このように、構成することにより、広い領域で外部の風を有効に取り込むことができる。
【００３３】
図６は本発明の第４実施例を示す複数の滑り出し窓の構成図である。
【００３４】
この図において、サッシには、横方向に複数個の滑り出し部材４２Ａ〜４２Ｆ，支持アーム４１Ａ〜４１Ｆが配置された滑り出し窓４１〜４６を配置し、複数個の滑り出し部材４２Ａ〜４２Ｆからは、更に、補助部材４３Ａ〜４３Ｆが伸長可能に構成されている。なお、５１は室内、５２は屋外を示している。
【００３５】
また、４７は各滑り出し部材４２Ａ〜４２Ｆ及び補助部材４３Ａ〜４３Ｆの駆動装置４６Ａ〜４６Ｆに接続されるシステムコントローラであり、このシステムコントローラ４７には、風向計４８，風速計４９が接続されており、風向計４８及び風速計４９からの風向及び風速に応じて、伸長させるべき補助部材とその補助部材の伸長させるべき長さを調整するようにしている。
【００３６】
したがって、屋外５２における風の状況に応じて、滑り出し窓４１〜４６の開閉状態を変化させることができる。その開閉状態の変化をシステムコントローラ４７によって自動制御することができる。
【００３７】
このように構成された滑り出し窓を、例えば、橋上駅コンコースのサッシに適用することにより、自然風を利用して駅空間の温熱環境の改善を図ることができる。
【００３８】
なお、本発明は上記実施例に限定されるものではなく、本発明の趣旨に基づき種々の変形が可能であり、これらを本発明の範囲から排除するものではない。
【産業上の利用可能性】
【００３９】
本発明の滑り出し窓は、外部の風の変化があるようなコンコースのサッシに利用可能である。
【図面の簡単な説明】
【００４０】
【図１】本発明の第１実施例を示す滑り出し窓の構成図である。
【図２】本発明の第１実施例を示す滑り出し窓が完全に開いた状態を室外から見た場合の斜視図である。
【図３】本発明の第１実施例を示す滑り出し窓の機能の説明図である。
【図４】本発明の第２実施例を示す滑り出し窓の構成図である。
【図５】本発明の第３実施例を示す複数の滑り出し窓（全開時）の構成図である。
【図６】本発明の第４実施例を示す複数の滑り出し窓の構成図である。
【図７】従来の窓の模式図（その１）である。
【図８】従来の窓の模式図（その２）である。
【図９】従来の窓の模式図（その３）である。
【符号の説明】
【００４１】
１    サッシの内側の上下に配置されるレール
２，１２，２１    滑り出し部材
２Ａ    滑り出し部材の突出部
３    滑り出し部材の中央部に突設されるピン
４    滑り出し部材の室内側に固定された操作ハンドル
５，２２    滑り出し部材に連結されるアーム
６    アームに形成される係合溝
７    枢着部
８，１０，３７，５１    室内
９，１１，３８，５２    屋外
１３，１４    左右から吹いてくる風
２３    リンク機構
２４    アームの中央部のヒンジ
２５    復帰ばね
２６    ストッパ
３１〜３６，４１〜４６    横方向に配置の複数個の滑り出し窓
３２Ａ〜３２Ｆ，４２Ａ〜４２Ｆ    横方向に配置される複数個の滑り出し部材
３３Ａ〜３３Ｆ，４１Ａ〜４１Ｆ    支持アーム
４３Ａ〜４３Ｆ    補助部材
４６Ａ〜４６Ｆ    駆動装置
４７    システムコントローラ
４８    風向計
４９    風速計
【図１】
2006200189.tif 000003
【図２】
2006200189.tif 000004
【図３】
2006200189.tif 000005
【図４】
2006200189.tif 000006
【図５】
2006200189.tif 000007
【図６】
2006200189.tif 000008
【図７】
2006200189.tif 000009
【図８】
2006200189.tif 000010
【図９】
2006200189.tif 000011